(57)【要約】【課題】本発明は屋外用の夜ライトを開示した。【解決手段】本体を含み、前記本体の中には伸縮装置が設置され、前記伸縮装置の外側には支持脚装置が設置され、前記伸縮装置の中にはファン装置が設置され、前記伸縮装置の中の回転盤を回せば前記伸縮装置を昇降連動させると同時に前記支持脚装置の伸展を連動させることができ、前記ファン装置によって羽根を折り畳め、収納に便利であり、前記本体の下端面の中には下に開口した照明チャンバが設置され、前記照明チャンバの上壁には電球が固定的に設置され、前記照明チャンバの中には前記電球の下側に位置する透明ガラスカバーが固定的に設置される。【選択図】図１
2020177889.tif 000002
【特許請求の範囲】
【請求項１】
屋外用の夜ライトであって、本体を含み、前記本体の中には伸縮装置が設置され、前記伸縮装置の外側には支持脚装置が設置され、前記伸縮装置の中にはファン装置が設置され、前記伸縮装置の中の回転盤を回せば前記伸縮装置を昇降連動させると同時に前記支持脚装置の伸展を連動させることができ、前記ファン装置によって羽根を折り畳め、収納に便利であり、前記本体の下端面の中には下に開口した照明チャンバが設置され、前記照明チャンバの上壁には電球が固定的に設置され、前記照明チャンバの中には前記電球の下側に位置する透明ガラスカバーが固定的に設置され、前記伸縮装置は前記照明チャンバの上側に設置された上に開口した昇降チャンバを含み、前記昇降チャンバの下壁の中には前記電球に電気的に連結された運動エネルギー転換装置が固定的に設置され、前記昇降チャンバの中には昇降ブロックがネジ山によって連結され、前記昇降ブロックの中には下に開口した伸縮チャンバが設置され、前記運動エネルギー転換装置の上端には上端が前記伸縮チャンバの中に挿入されるスプライン軸が伝動可能に連結され、前記運動エネルギー転換装置によって前記スプライン軸の回転の運動エネルギーを電気エネルギーに転換でき、前記スプライン軸の中には上に開口したスプライン穴が設置され、前記伸縮チャンバの上壁の中には下端が前記スプライン穴にスプラインによって連結された回転軸が回転可能に設置され、前記回転軸の上端は前記ファン装置に連結され、前記昇降チャンバの外側には環状の回転チャンバが設置され、前記回転チャンバの中には環状柱が設置され、前記回転盤が前記環状柱の上端に固定的に設置され、前記昇降チャンバと前記回転チャンバとの間には通しチャンバが連通して設置され、前記昇降ブロックの前後左右の四端には外に開口したスライド溝が設置され、前記環状柱の内円壁の中の前後左右の四端には前記通しチャンバを貫通して前記スライド溝の中に伸びた連動ロッドが固定的に設置され、前記回転盤の中には開口が前記昇降チャンバに対応するように上下に貫通して設置され、
前記回転盤を回して前記昇降ブロックを連動させて回転しながら上昇又は下降させることを特徴とする。
【請求項２】
前記支持脚装置は環状に排列され且つ前記回転チャンバの前後左右四側に連通して設置される押しロッドチャンバを含み、前記押しロッドチャンバの中には一端が前記環状柱の外円周面にネジ山によって連結される押しロッドがスライド可能に設置され、前記押しロッドチャンバの下側には外部に連通した支持脚チャンバが設置され、前記押しロッドの下端には支持脚がヒンジで連結され、前記支持脚チャンバのうち中心に近接している側の内壁には支持ロッドが回転可能に設置され、前記支持ロッドの上端は前記支持脚のうち中間で上よりのところにヒンジで連結され、
前記押しロッドが下降して前記支持脚の下端を連動させて前記支持脚チャンバから翻転し出て前記本体の下端と同じ水平面にならせることを特徴とする請求項１に記載の屋外用の夜ライト。
【請求項３】
前記ファン装置は前記回転軸の上端に固定的に設置される旋転ブロックを含み、前記旋転ブロックの左右両端には反対に開口した下向きの翻転チャンバが対称的に設置され、前記翻転チャンバの中には翻転ブロックが回転可能に設置され、前記羽根は前記翻転ブロックのうち中心から離れている一端に固定的に設置され、前記翻転チャンバの間にはスライドチャンバが連通して設置され、前記スライドチャンバの中にはスライドブロックが左右に対称的にスライド可能に設置され、前記スライドブロックの間には押圧撥条が固定的に連結され、前記スライドブロックのうち中心から離れている一端には前記翻転ブロックと当接する押圧ブロックが固定的に設置され、前記旋転ブロックの上端には蓋板が固定的に設置され、
前記押圧ブロックによって前記翻転ブロックを固定し、前記翻転ブロックが勝手に反転することを防止することを特徴とする請求項１に記載の屋外用の夜ライト。
【発明の詳細な説明】
【技術分野】
【０００１】
本発明は生活用品技術分野に関し、具体的には屋外用の夜ライトである。
【背景技術】
【０００２】
屋外で懐中電灯などの灯具は欠かせないものであり、電量が尽きることを備えるため、普通の懐中電灯であれば電池をいつも準備する必要があり、面倒くさくて負担になり、繰り返し充電可能な懐中電灯であれば屋外ではなかなか充電できないため、風力エネルギーを利用して充電を実現し、支持脚を備えてサポートを提供し、同時に収納機能も強くて使用や携帯に便利を与える屋外用の夜ライトは現有の懐中電灯に存在問題を解決できる。
【先行技術文献】
【特許文献】
【０００３】
【特許文献１】中国特許出願公開第１０９２８２２５２号明細書
【発明の概要】
【発明が解決しようとする課題】
【０００４】
本発明は解決する必要な技術問題が屋外用の夜ライトを提供し、既存技術にある上記の欠点を解消することを目的とする。
【課題を解決するための手段】
【０００５】
本発明の実施例における屋外用の夜ライトは、本体を含み、前記本体の中には伸縮装置が設置され、前記伸縮装置の外側には支持脚装置が設置され、前記伸縮装置の中にはファン装置が設置され、前記伸縮装置の中の回転盤を回せば前記伸縮装置を昇降連動させると同時に前記支持脚装置の伸展を連動させることができ、前記ファン装置によって羽根を折り畳め、収納に便利であり、前記本体の下端面の中には下に開口した照明チャンバが設置され、前記照明チャンバの上壁には電球が固定的に設置され、前記照明チャンバの中には前記電球の下側に位置する透明ガラスカバーが固定的に設置され、前記伸縮装置は前記照明チャンバの上側に設置された上に開口した昇降チャンバを含み、前記昇降チャンバの下壁の中には前記電球に電気的に連結された運動エネルギー転換装置が固定的に設置され、前記昇降チャンバの中には昇降ブロックがネジ山によって連結され、前記昇降ブロックの中には下に開口した伸縮チャンバが設置され、前記運動エネルギー転換装置の上端には上端が前記伸縮チャンバの中に挿入されるスプライン軸が伝動可能に連結され、前記運動エネルギー転換装置によって前記スプライン軸の回転の運動エネルギーを電気エネルギーに転換でき、前記スプライン軸の中には上に開口したスプライン穴が設置され、前記伸縮チャンバの上壁の中には下端が前記スプライン穴にスプラインによって連結された回転軸が回転可能に設置され、前記回転軸の上端は前記ファン装置に連結され、前記昇降チャンバの外側には環状の回転チャンバが設置され、前記回転チャンバの中には環状柱が設置され、前記回転盤が前記環状柱の上端に固定的に設置され、前記昇降チャンバと前記回転チャンバとの間には通しチャンバが連通して設置され、前記昇降ブロックの前後左右の四端には外に開口したスライド溝が設置され、前記環状柱の内円壁の中の前後左右の四端には前記通しチャンバを貫通して前記スライド溝の中に伸びた連動ロッドが固定的に設置され、前記回転盤の中には開口が前記昇降チャンバに対応するように上下に貫通して設置され、
前記回転盤を回して前記昇降ブロックを連動させて回転しながら上昇又は下降させる。
【０００６】
有益的には、前記支持脚装置は環状に排列され且つ前記回転チャンバの前後左右四側に連通して設置される押しロッドチャンバを含み、前記押しロッドチャンバの中には一端が前記環状柱の外円周面にネジ山によって連結される押しロッドがスライド可能に設置され、前記押しロッドチャンバの下側には外部に連通した支持脚チャンバが設置され、前記押しロッドの下端には支持脚がヒンジで連結され、前記支持脚チャンバのうち中心に近接している側の内壁には支持ロッドが回転可能に設置され、前記支持ロッドの上端は前記支持脚のうち中間で上よりのところにヒンジで連結され、
前記押しロッドが下降して前記支持脚の下端を連動させて前記支持脚チャンバから翻転し出て前記本体の下端と同じ水平面にならせる。
【０００７】
有益的には、前記ファン装置は前記回転軸の上端に固定的に設置される旋転ブロックを含み、前記旋転ブロックの左右両端には反対に開口した下向きの翻転チャンバが対称的に設置され、前記翻転チャンバの中には翻転ブロックが回転可能に設置され、前記羽根は前記翻転ブロックのうち中心から離れている一端に固定的に設置され、前記翻転チャンバの間にはスライドチャンバが連通して設置され、前記スライドチャンバの中にはスライドブロックが左右に対称的にスライド可能に設置され、前記スライドブロックの間には押圧撥条が固定的に連結され、前記スライドブロックのうち中心から離れている一端には前記翻転ブロックと当接する押圧ブロックが固定的に設置され、前記旋転ブロックの上端には蓋板が固定的に設置され、
前記押圧ブロックによって前記翻転ブロックを固定し、前記翻転ブロックが勝手に反転することを防止する。
【発明の効果】
【０００８】
本発明の有益効果は：本発明は構造が簡単で、操作が便利で、本装置は風力エネルギーを利用して充電を実現し、しかも安定性が高く、収納機能も強く、屋外での使用に適する。
【図面の簡単な説明】
【０００９】
【図１】図１は本発明の屋外用の夜ライトの内部全体構成概略図
【図２】図２は図１の中のＡ−Ａ方向の構成概略図
【図３】図３は図１の中のＢの拡大概略図
【発明を実施するための形態】
【００１０】
以下に図１−３を交えて本発明について詳しく説明し、便利に叙述するため、現在は後文に出る方位を下記の通りに規定する：後文に出る上下左右前後方向は図１本体の投影関係の上下左右前後方向と一致する。
【００１１】
図１−３を参照し、本発明の実施例における屋外用の夜ライトは、本体１１を含み、前記本体１１の中には伸縮装置１０１が設置され、前記伸縮装置１０１の外側には支持脚装置１０２が設置され、前記伸縮装置１０１の中にはファン装置１０３が設置され、前記伸縮装置１０１の中の回転盤１２を回せば前記伸縮装置１０１を昇降連動させると同時に前記支持脚装置１０２の伸展を連動させることができ、前記ファン装置１０３によって羽根１３を折り畳め、収納に便利であり、前記本体１１の下端面の中には下に開いた口した照明チャンバ１４が設置され、前記照明チャンバ１４の上壁には電球１５が固定的に設置され、前記照明チャンバ１４の中には前記電球１５の下側に位置する透明ガラスカバー１６が固定的に設置され、前記伸縮装置１０１は前記照明チャンバ１４の上側に設置された上に開い口した昇降チャンバ１７を含み、前記昇降チャンバ１７の下壁の中には前記電球１５に電気的に接続連結された運動エネルギー転換装置１８が固定的に設置され、前記昇降チャンバ１７の中には昇降ブロック１９がネジ山によって連結され、前記昇降ブロック１９の中には下に開口しいた伸縮チャンバ２０が設置され、前記運動エネルギー転換装置１８の上端には上端が前記伸縮チャンバ２０の中に挿入されるスプライン軸２１が伝動可能に連結され、前記運動エネルギー転換装置１８によって前記スプライン軸２１の回転の運動エネルギーを電気エネルギーに転換でき、前記スプライン軸２１の中には上に開口しいたスプライン穴２２が設置され、前記伸縮チャンバ２０の上壁の中には下端が前記スプライン穴２２にスプラインによって連結された回転軸２３が回転可能に設置され、前記回転軸２３の上端は前記ファン装置１０３に連結され、前記昇降チャンバ１７の外側には環状の回転チャンバ２４が設置され、前記回転チャンバ２４の中には環状柱２５が設置され、前記回転盤１２が前記環状柱２５の上端に固定的に設置され、前記昇降チャンバ１７と前記回転チャンバ２４との間には通しチャンバ２６が連通して設置され、前記昇降ブロック１９の前後左右の四端には外に開口しいたスライド溝２７が設置され、前記環状柱２５の内円壁の中の前後左右の四端には前記通しチャンバ２６を貫通して前記スライド溝２７の中に伸びた連動ロッド２８が固定的に設置され、前記回転盤１２の中には開口２９が前記昇降チャンバ１７に対応するように上下に貫通して設置され、
前記回転盤１２を回して前記昇降ブロック１９を連動させて回転しながら上昇又は下降させる。
【００１２】
有益的には、前記支持脚装置１０２は環状の上に排列され且つ前記回転チャンバ２４の前後左右四側に連通して設置される押しロッドチャンバ３０を含み、前記押しロッドチャンバ３０の中には一端が前記環状柱２５の外円周面にネジ山によって連結される押しロッド３１がスライド可能に設置され、前記押しロッドチャンバ３０の下側には外部に連通した支持脚チャンバ３２が設置され、前記押しロッド３１の下端には支持脚３３がヒンジで連結され、前記支持脚チャンバ３２のうち中心に近接している側の内壁には支持ロッド３４が回転可能に設置され、前記支持ロッド３４の上端は前記支持脚３３のうち中間で上よりのところにヒンジで連結され、
前記押しロッド３１が下降して前記支持脚３３の下端を連動させて前記支持脚チャンバ３２から翻転し出て前記本体１１の下端と同じす水平面にならせる。
【００１３】
有益的には、前記ファン装置１０３は前記回転軸２３の上端に固定的に設置される旋転ブロック３５を含み、前記旋転ブロック３５の左右両端には反対に開いた口した下向きの翻転チャンバ３６が対称的に設置され、前記翻転チャンバ３６の中には翻転ブロック３７が回転可能に設置され、前記羽根１３は前記翻転ブロック３７のうち中心から離れている一端に固定的に設置され、前記翻転チャンバ３６の間にはスライドチャンバ３８が連通して設置され、前記スライドチャンバ３８の中にはスライドブロック３９が左右に対称的にスライド可能に設置され、前記スライドブロック３９の間には押圧撥条４０が固定的に連結され、前記スライドブロック３９のうち中心から離れている一端には前記翻転ブロック３７と当接する押圧ブロック４１が固定的に設置され、前記旋転ブロック３５の上端には蓋板４２が固定的に設置され、
前記押圧ブロック４１によって前記翻転ブロック３７を固定し、前記翻転ブロック３７が勝手に反転することを防止する。
【００１４】
初期状態の時、支持脚３３が支持脚チャンバ３２の中に納められており、開口２９が昇降チャンバ１７の中に収縮しており、羽根１３が鉛直状態にあり、蓋板４２が開口２９を封じている。
【００１５】
照明する時、本体１１を手で握り、電球１５をつけて懐中電灯として照明を行う；風力エネルギーによって充電する時、回転盤１２を回して環状柱２５を回転連動させ、連動ロッド２８によって昇降ブロック１９を押し動かして回転させ、昇降ブロック１９は昇降チャンバ１７の内壁とのネジ山での連結によって上昇して回転軸２３を上昇連動させ、この時環状柱２５は押しロッド３１とのネジ山での連結によって押しロッド３１を下降連動させて支持脚３３を下降連動させ、この時支持ロッド３４はヒンジでの連結によって支持脚３３の下端を外に翻転連動させ、この時羽根１３を水平状態に翻転し、押圧撥条４０の弾力と押圧ブロック４１とを通じて翻転ブロック３７を強く押圧し、この時照明チャンバ１４を下に向かって置き、支持脚３３の下端が水平面との当接によって支持し、羽根１３が風力エネルギーによって発電する上に吹き倒されることを防止できる。
【００１６】
本発明の有益効果は：本発明は構造が簡単で、操作が便利で、本装置は風力エネルギーを利用して充電を実現し、しかも安定性が高く、収納機能も強く、屋外での使用に適する。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177889.tif 000003
【図２】
2020177889.tif 000004
【図３】
2020177889.tif 000005
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
屋外用の夜ライトであって、本体を含み、前記本体の中には伸縮装置が設置され、前記伸縮装置の外側には支持脚装置が設置され、前記伸縮装置の中には折畳装置が設置され、前記伸縮装置の中の回転盤を回せば前記伸縮装置を昇降連動させると同時に前記支持脚装置の伸展を連動させることができ、前記折畳装置によって羽根を折り畳め、収納に便利であり、前記本体の下端面の中には下に開口した照明チャンバが設置され、前記照明チャンバの上壁には電球が固定的に設置され、前記照明チャンバの中には前記電球の下側に位置する透明ガラスカバーが固定的に設置され、前記伸縮装置は前記照明チャンバの上側に設置された上に開口した昇降チャンバを含み、前記昇降チャンバの下壁の中には前記電球に電気的に連結された運動エネルギー転換装置が固定的に設置され、前記昇降チャンバの中には昇降ブロックがネジ山によって連結され、前記昇降ブロックの中には下に開口した伸縮チャンバが設置され、前記運動エネルギー転換装置の上端には上端が前記伸縮チャンバの中に挿入されるスプライン軸が伝動可能に連結され、前記運動エネルギー転換装置によって前記スプライン軸の回転の運動エネルギーを電気エネルギーに転換でき、前記スプライン軸の中には上に開口したスプライン穴が設置され、前記伸縮チャンバの上壁の中には下端が前記スプライン穴にスプラインによって連結された回転軸が回転可能に設置され、前記回転軸の上端は前記折畳装置に連結され、前記昇降チャンバの外側には環状の回転チャンバが設置され、前記回転チャンバの中には環状柱が設置され、前記回転盤が前記環状柱の上端に固定的に設置され、前記昇降チャンバと前記回転チャンバとの間には通しチャンバが連通して設置され、前記昇降ブロックの中には互いに離れた方向に開口した四つのスライド溝が環状に配置され、前記環状柱の内円壁の中には前記通しチャンバを貫通して前記スライド溝とスライド可能に連結される連動ロッドが環状に配置され、前記回転盤の中には開口が前記昇降チャンバに対応するように上下に貫通して設置され、
前記回転盤を回して前記昇降ブロックを連動させて回転しながら上昇又は下降させることを特徴とする。
【請求項２】
前記支持脚装置には環状に排列され且つ前記回転チャンバのうち前記伸縮チャンバから離れた側の内壁の中に連通するように設置される押しロッドチャンバが含まれ、前記押しロッドチャンバの中には一端が前記環状柱の外円周面にネジ山によって連結される押しロッドがスライド可能に設置され、前記押しロッドチャンバの下側には外部に連通した支持脚チャンバが設置され、前記押しロッドの下端には支持脚がヒンジで連結され、前記支持脚チャンバのうち中心に近接している側の内壁には支持ロッドが回転可能に設置され、前記支持ロッドの上端は前記支持脚のうち中間で上よりのところにヒンジで連結され、
前記押しロッドが下降して前記支持脚の下端を連動させて前記支持脚チャンバから翻転し出て前記本体の下端と同じ水平面にならせることを特徴とする請求項１に記載の屋外用の夜ライト。
【請求項３】
前記折畳装置は前記回転軸の上端に固定的に設置される旋転ブロックを含み、前記旋転ブロックの左右両端には反対に開口した下向きの翻転チャンバが対称的に設置され、前記翻転チャンバの中には翻転ブロックが回転可能に設置され、前記羽根は前記翻転ブロックのうち中心から離れている一端に固定的に設置され、前記翻転チャンバの間にはスライドチャンバが連通して設置され、前記スライドチャンバの中にはスライドブロックが左右に対称的にスライド可能に設置され、前記スライドブロックの間には押圧撥条が固定的に連結され、前記スライドブロックのうち中心から離れている一端には前記翻転ブロックと当接する押圧ブロックが固定的に設置され、前記旋転ブロックの上端には蓋板が固定的に設置され、
前記押圧ブロックによって前記翻転ブロックを固定し、前記翻転ブロックが勝手に反転することを防止することを特徴とする請求項１に記載の屋外用の夜ライト。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関し、具体的には屋外用の夜ライトである。
【背景技術】
【０００２】
屋外で懐中電灯などの灯具は欠かせないものであり、電量が尽きることを備えるため、普通の懐中電灯であれば電池をいつも準備する必要があり、面倒くさくて負担になり、繰り返し充電可能な懐中電灯であれば屋外ではなかなか充電できないため、風力エネルギーを利用して充電を実現し、支持脚を備えてサポートを提供し、同時に収納機能も強くて使用や携帯に便利を与える屋外用の夜ライトは現有の懐中電灯に存在問題を解決できる。
【先行技術文献】
【特許文献】
【０００３】
【特許文献１】中国特許出願公開第１０９２８２２５２号明細書
【発明の概要】
【発明が解決しようとする課題】
【０００４】
本発明は解決する必要な技術問題が屋外用の夜ライトを提供し、既存技術にある上記の欠点を解消することを目的とする。
【課題を解決するための手段】
【０００５】
本発明の実施例における屋外用の夜ライトは、本体を含み、前記本体の中には伸縮装置が設置され、前記伸縮装置の外側には支持脚装置が設置され、前記伸縮装置の中には折畳装置が設置され、前記伸縮装置の中の回転盤を回せば前記伸縮装置を昇降連動させると同時に前記支持脚装置の伸展を連動させることができ、前記折畳装置によって羽根を折り畳め、収納に便利であり、前記本体の下端面の中には下に開口した照明チャンバが設置され、前記照明チャンバの上壁には電球が固定的に設置され、前記照明チャンバの中には前記電球の下側に位置する透明ガラスカバーが固定的に設置され、前記伸縮装置は前記照明チャンバの上側に設置された上に開口した昇降チャンバを含み、前記昇降チャンバの下壁の中には前記電球に電気的に連結された運動エネルギー転換装置が固定的に設置され、前記昇降チャンバの中には昇降ブロックがネジ山によって連結され、前記昇降ブロックの中には下に開口した伸縮チャンバが設置され、前記運動エネルギー転換装置の上端には上端が前記伸縮チャンバの中に挿入されるスプライン軸が伝動可能に連結され、前記運動エネルギー転換装置によって前記スプライン軸の回転の運動エネルギーを電気エネルギーに転換でき、前記スプライン軸の中には上に開口したスプライン穴が設置され、前記伸縮チャンバの上壁の中には下端が前記スプライン穴にスプラインによって連結された回転軸が回転可能に設置され、前記回転軸の上端は前記折畳装置に連結され、前記昇降チャンバの外側には環状の回転チャンバが設置され、前記回転チャンバの中には環状柱が設置され、前記回転盤が前記環状柱の上端に固定的に設置され、前記昇降チャンバと前記回転チャンバとの間には通しチャンバが連通して設置され、前記昇降ブロックの中には互いに離れた方向に開口した四つのスライド溝が環状に配置され、前記環状柱の内円壁の中には前記通しチャンバを貫通して前記スライド溝とスライド可能に連結される連動ロッドが環状に配置され、前記回転盤の中には開口が前記昇降チャンバに対応するように上下に貫通して設置され、前記回転盤を回して前記昇降ブロックを連動させて回転しながら上昇又は下降させる。
【０００６】
有益的には、前記支持脚装置には環状に排列され且つ前記回転チャンバのうち前記伸縮チャンバから離れた側の内壁の中に連通するように設置される押しロッドチャンバが含まれ、前記押しロッドチャンバの中には一端が前記環状柱の外円周面にネジ山によって連結される押しロッドがスライド可能に設置され、前記押しロッドチャンバの下側には外部に連通した支持脚チャンバが設置され、前記押しロッドの下端には支持脚がヒンジで連結され、前記支持脚チャンバのうち中心に近接している側の内壁には支持ロッドが回転可能に設置され、前記支持ロッドの上端は前記支持脚のうち中間で上よりのところにヒンジで連結され、
前記押しロッドが下降して前記支持脚の下端を連動させて前記支持脚チャンバから翻転し出て前記本体の下端と同じ水平面にならせる。
【０００７】
有益的には、前記折畳装置は前記回転軸の上端に固定的に設置される旋転ブロックを含み、前記旋転ブロックの左右両端には反対に開口した下向きの翻転チャンバが対称的に設置され、前記翻転チャンバの中には翻転ブロックが回転可能に設置され、前記羽根は前記翻転ブロックのうち中心から離れている一端に固定的に設置され、前記翻転チャンバの間にはスライドチャンバが連通して設置され、前記スライドチャンバの中にはスライドブロックが左右に対称的にスライド可能に設置され、前記スライドブロックの間には押圧撥条が固定的に連結され、前記スライドブロックのうち中心から離れている一端には前記翻転ブロックと当接する押圧ブロックが固定的に設置され、前記旋転ブロックの上端には蓋板が固定的に設置され、
前記押圧ブロックによって前記翻転ブロックを固定し、前記翻転ブロックが勝手に反転することを防止する。
【発明の効果】
【０００８】
本発明の有益効果は：本発明は構造が簡単で、操作が便利で、本装置は風力エネルギーを利用して充電を実現し、しかも安定性が高く、収納機能も強く、屋外での使用に適する。
【図面の簡単な説明】
【０００９】
【図１】図１は本発明の屋外用の夜ライトの内部全体構成概略図
【図２】図２は図１の中のＡ−Ａ方向の構成概略図
【図３】図３は図１の中のＢの拡大概略図
【発明を実施するための形態】
【００１０】
以下に図１−３を交えて本発明について詳しく説明し、便利に叙述するため、現在は後文に出る方位を下記の通りに規定する：後文に出る上下左右前後方向は図１本体の投影関係の上下左右前後方向と一致する。
【００１１】
図１−３を参照し、本発明の実施例における屋外用の夜ライトは、本体１１を含み、前記本体１１の中には伸縮装置１０１が設置され、前記伸縮装置１０１の外側には支持脚装置１０２が設置され、前記伸縮装置１０１の中には折畳装置１０３が設置され、前記伸縮装置１０１の中の回転盤１２を回せば前記伸縮装置１０１を昇降連動させると同時に前記支持脚装置１０２の伸展を連動させることができ、前記折畳装置１０３によって羽根１３を折り畳め、収納に便利であり、前記本体１１の下端面の中には下に開いた口した照明チャンバ１４が設置され、前記照明チャンバ１４の上壁には電球１５が固定的に設置され、前記照明チャンバ１４の中には前記電球１５の下側に位置する透明ガラスカバー１６が固定的に設置され、前記伸縮装置１０１は前記照明チャンバ１４の上側に設置された上に開い口した昇降チャンバ１７を含み、前記昇降チャンバ１７の下壁の中には前記電球１５に電気的に接続連結された運動エネルギー転換装置１８が固定的に設置され、前記昇降チャンバ１７の中には昇降ブロック１９がネジ山によって連結され、前記昇降ブロック１９の中には下に開口しいた伸縮チャンバ２０が設置され、前記運動エネルギー転換装置１８の上端には上端が前記伸縮チャンバ２０の中に挿入されるスプライン軸２１が伝動可能に連結され、前記運動エネルギー転換装置１８によって前記スプライン軸２１の回転の運動エネルギーを電気エネルギーに転換でき、前記スプライン軸２１の中には上に開口しいたスプライン穴２２が設置され、前記伸縮チャンバ２０の上壁の中には下端が前記スプライン穴２２にスプラインによって連結された回転軸２３が回転可能に設置され、前記回転軸２３の上端は前記折畳装置１０３に連結され、前記昇降チャンバ１７の外側には環状の回転チャンバ２４が設置され、前記回転チャンバ２４の中には環状柱２５が設置され、前記回転盤１２が前記環状柱２５の上端に固定的に設置され、前記昇降チャンバ１７と前記回転チャンバ２４との間には通しチャンバ２６が連通して設置され、前記昇降ブロック１９の中には互いに離れた方向に開口した四つのスライド溝２７が環状に配置され、前記環状柱２５の内円壁の中には前記通しチャンバ２６を貫通して前記スライド溝２７とスライド可能に連結される連動ロッド２８が環状に配置され、前記回転盤１２の中には開口２９が前記昇降チャンバ１７に対応するように上下に貫通して設置され、
前記回転盤１２を回して前記昇降ブロック１９を連動させて回転しながら上昇又は下降させる。
【００１２】
有益的には、前記支持脚装置１０２には環状に排列され且つ前記回転チャンバ２４のうち前記伸縮チャンバ２０から離れた側の内壁の中に連通するように設置される押しロッドチャンバ３０が含まれ、前記押しロッドチャンバ３０の中には一端が前記環状柱２５の外円周面にネジ山によって連結される押しロッド３１がスライド可能に設置され、前記押しロッドチャンバ３０の下側には外部に連通した支持脚チャンバ３２が設置され、前記押しロッド３１の下端には支持脚３３がヒンジで連結され、前記支持脚チャンバ３２のうち中心に近接している側の内壁には支持ロッド３４が回転可能に設置され、前記支持ロッド３４の上端は前記支持脚３３のうち中間で上よりのところにヒンジで連結され、
前記押しロッド３１が下降して前記支持脚３３の下端を連動させて前記支持脚チャンバ３２から翻転し出て前記本体１１の下端と同じす水平面にならせる。
【００１３】
有益的には、前記折畳装置１０３は前記回転軸２３の上端に固定的に設置される旋転ブロック３５を含み、前記旋転ブロック３５の左右両端には反対に開いた口した下向きの翻転チャンバ３６が対称的に設置され、前記翻転チャンバ３６の中には翻転ブロック３７が回転可能に設置され、前記羽根１３は前記翻転ブロック３７のうち中心から離れている一端に固定的に設置され、前記翻転チャンバ３６の間にはスライドチャンバ３８が連通して設置され、前記スライドチャンバ３８の中にはスライドブロック３９が左右に対称的にスライド可能に設置され、前記スライドブロック３９の間には押圧撥条４０が固定的に連結され、前記スライドブロック３９のうち中心から離れている一端には前記翻転ブロック３７と当接する押圧ブロック４１が固定的に設置され、前記旋転ブロック３５の上端には蓋板４２が固定的に設置され、
前記押圧ブロック４１によって前記翻転ブロック３７を固定し、前記翻転ブロック３７が勝手に反転することを防止する。
【００１４】
初期状態の時、支持脚３３が支持脚チャンバ３２の中に納められており、開口２９が昇降チャンバ１７の中に収縮しており、羽根１３が鉛直状態にあり、蓋板４２が開口２９を封じている。
【００１５】
照明する時、本体１１を手で握り、電球１５をつけて懐中電灯として照明を行い、
風力エネルギーによって充電する時、回転盤１２を回して環状柱２５を回転連動させ、連動ロッド２８によって昇降ブロック１９を押し動かして回転させ、昇降ブロック１９は昇降チャンバ１７の内壁とのネジ山での連結によって上昇して回転軸２３を上昇連動させ、この時環状柱２５は押しロッド３１とのネジ山での連結によって押しロッド３１を下降連動させて支持脚３３を下降連動させ、この時支持ロッド３４はヒンジでの連結によって支持脚３３の下端を外に翻転連動させ、この時羽根１３を水平状態に翻転し、押圧撥条４０の弾力と押圧ブロック４１とを通じて翻転ブロック３７を強く押圧し、この時照明チャンバ１４を下に向かって置き、支持脚３３の下端が水平面との当接によって支持し、羽根１３が風力エネルギーによって発電する上に吹き倒されることを防止できる。
【００１６】
本発明の有益効果は：本発明は構造が簡単で、操作が便利で、本装置は風力エネルギーを利用して充電を実現し、しかも安定性が高く、収納機能も強く、屋外での使用に適する。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
屋外用の夜ライトであって、本体を含み、前記本体の中には伸縮装置が設置され、前記伸縮装置の外側には支持脚装置が設置され、前記伸縮装置の中には折畳装置が設置され、前記伸縮装置の中の回転盤を回せば前記伸縮装置を昇降連動させると同時に前記支持脚装置の伸展を連動させることができ、前記折畳装置によって羽根を折り畳め、収納に便利であり、前記本体の下端面の中には下に開口した照明チャンバが設置され、前記照明チャンバの上壁には電球が固定的に設置され、前記照明チャンバの中には前記電球の下側に位置する透明ガラスカバーが固定的に設置され、前記伸縮装置は前記照明チャンバの上側に設置された上に開口した昇降チャンバを含み、前記昇降チャンバの下壁の中には前記電球に電気的に連結された運動エネルギー転換装置が固定的に設置され、前記昇降チャンバの中には昇降ブロックがネジ山によって連結され、前記昇降ブロックの中には下に開口した伸縮チャンバが設置され、前記運動エネルギー転換装置の上端には上端が前記伸縮チャンバの中に挿入されるスプライン軸が伝動可能に連結され、前記運動エネルギー転換装置によって前記スプライン軸の回転の運動エネルギーを電気エネルギーに転換でき、前記スプライン軸の中には上に開口したスプライン穴が設置され、前記伸縮チャンバの上壁の中には下端が前記スプライン穴にスプラインによって連結された回転軸が回転可能に設置され、前記回転軸の上端は前記折畳装置に連結され、前記昇降チャンバの外側には環状の回転チャンバが設置され、前記回転チャンバの中には環状柱が設置され、前記回転盤が前記環状柱の上端に固定的に設置され、前記昇降チャンバと前記回転チャンバとの間には通しチャンバが連通して設置され、前記昇降ブロックの前後左右の四つの方向には外方に開口するスライド溝が形成され、前記環状柱の前後左右の四つの方向には前記通しチャンバを貫通して前記スライド溝とスライド可能に連結された連動ロッドが設置され、前記回転盤の中には開口が前記昇降チャンバに対応するように上下に貫通して設置され、
前記回転盤を回して前記昇降ブロックを連動させて回転しながら上昇又は下降させ、
前記支持脚装置は、前記回転チャンバの前後左右の四つの方向に環状になるように配列され且つ互いに連通する押しロッドチャンバを含み、前記押しロッドチャンバの中には一端が前記環状柱の外円周面にネジ山によって連結される押しロッドがスライド可能に設置され、前記押しロッドチャンバの下側には外部に連通した支持脚チャンバが設置され、前記押しロッドの下端には支持脚がヒンジで連結され、前記支持脚チャンバのうち中心に近接している側の内壁には支持ロッドが回転可能に設置され、前記支持ロッドの上端は前記支持脚のうち中間で上よりのところにヒンジで連結され、
前記押しロッドが下降して前記支持脚の下端を連動させて前記支持脚チャンバから翻転し出て前記本体の下端と同じ水平面にならせ、
前記折畳装置は前記回転軸の上端に固定的に設置される旋転ブロックを含み、前記旋転ブロックの左右両端には反対に開口した下向きの翻転チャンバが対称的に設置され、前記翻転チャンバの中には翻転ブロックが回転可能に設置され、前記羽根は前記翻転ブロックのうち中心から離れている一端に固定的に設置され、前記翻転チャンバの間にはスライドチャンバが連通して設置され、前記スライドチャンバの中にはスライドブロックが左右に対称的にスライド可能に設置され、前記スライドブロックの間には押圧撥条が固定的に連結され、前記スライドブロックのうち中心から離れている一端には前記翻転ブロックと当接する押圧ブロックが固定的に設置され、前記旋転ブロックの上端には蓋板が固定的に設置され、
前記押圧ブロックによって前記翻転ブロックを固定し、前記翻転ブロックが勝手に反転することを防止することを特徴と屋外用の夜ライト。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関し、具体的には屋外用の夜ライトである。
【背景技術】
【０００２】
屋外で懐中電灯などの灯具は欠かせないものであり、電量が尽きることを備えるため、普通の懐中電灯であれば電池をいつも準備する必要があり、面倒くさくて負担になり、繰り返し充電可能な懐中電灯であれば屋外ではなかなか充電できないため、風力エネルギーを利用して充電を実現し、支持脚を備えてサポートを提供し、同時に収納機能も強くて使用や携帯に便利を与える屋外用の夜ライトは現有の懐中電灯に存在問題を解決できる。
【先行技術文献】
【特許文献】
【０００３】
【特許文献１】中国特許出願公開第１０９２８２２５２号明細書
【発明の概要】
【発明が解決しようとする課題】
【０００４】
本発明は解決する必要な技術問題が屋外用の夜ライトを提供し、既存技術にある上記の欠点を解消することを目的とする。
【課題を解決するための手段】
【０００５】
本発明の実施例における屋外用の夜ライトは、本体を含み、前記本体の中には伸縮装置が設置され、前記伸縮装置の外側には支持脚装置が設置され、前記伸縮装置の中には折畳装置が設置され、前記伸縮装置の中の回転盤を回せば前記伸縮装置を昇降連動させると同時に前記支持脚装置の伸展を連動させることができ、前記折畳装置によって羽根を折り畳め、収納に便利であり、前記本体の下端面の中には下に開口した照明チャンバが設置され、前記照明チャンバの上壁には電球が固定的に設置され、前記照明チャンバの中には前記電球の下側に位置する透明ガラスカバーが固定的に設置され、前記伸縮装置は前記照明チャンバの上側に設置された上に開口した昇降チャンバを含み、前記昇降チャンバの下壁の中には前記電球に電気的に連結された運動エネルギー転換装置が固定的に設置され、前記昇降チャンバの中には昇降ブロックがネジ山によって連結され、前記昇降ブロックの中には下に開口した伸縮チャンバが設置され、前記運動エネルギー転換装置の上端には上端が前記伸縮チャンバの中に挿入されるスプライン軸が伝動可能に連結され、前記運動エネルギー転換装置によって前記スプライン軸の回転の運動エネルギーを電気エネルギーに転換でき、前記スプライン軸の中には上に開口したスプライン穴が設置され、前記伸縮チャンバの上壁の中には下端が前記スプライン穴にスプラインによって連結された回転軸が回転可能に設置され、前記回転軸の上端は前記折畳装置に連結され、前記昇降チャンバの外側には環状の回転チャンバが設置され、前記回転チャンバの中には環状柱が設置され、前記回転盤が前記環状柱の上端に固定的に設置され、前記昇降チャンバと前記回転チャンバとの間には通しチャンバが連通して設置され、前記昇降ブロックの前後左右の四つの方向には外方に開口するスライド溝が形成され、前記環状柱の前後左右の四つの方向には前記通しチャンバを貫通して前記スライド溝とスライド可能に連結された連動ロッドが設置され、前記回転盤の中には開口が前記昇降チャンバに対応するように上下に貫通して設置され、前記回転盤を回して前記昇降ブロックを連動させて回転しながら上昇又は下降させる。
【０００６】
有益的には、前記支持脚装置は、前記回転チャンバの前後左右の四つの方向に環状になるように配列され且つ互いに連通する押しロッドチャンバを含み、前記押しロッドチャンバの中には一端が前記環状柱の外円周面にネジ山によって連結される押しロッドがスライド可能に設置され、前記押しロッドチャンバの下側には外部に連通した支持脚チャンバが設置され、前記押しロッドの下端には支持脚がヒンジで連結され、前記支持脚チャンバのうち中心に近接している側の内壁には支持ロッドが回転可能に設置され、前記支持ロッドの上端は前記支持脚のうち中間で上よりのところにヒンジで連結され、
前記押しロッドが下降して前記支持脚の下端を連動させて前記支持脚チャンバから翻転し出て前記本体の下端と同じ水平面にならせる。
【０００７】
有益的には、前記折畳装置は前記回転軸の上端に固定的に設置される旋転ブロックを含み、前記旋転ブロックの左右両端には反対に開口した下向きの翻転チャンバが対称的に設置され、前記翻転チャンバの中には翻転ブロックが回転可能に設置され、前記羽根は前記翻転ブロックのうち中心から離れている一端に固定的に設置され、前記翻転チャンバの間にはスライドチャンバが連通して設置され、前記スライドチャンバの中にはスライドブロックが左右に対称的にスライド可能に設置され、前記スライドブロックの間には押圧撥条が固定的に連結され、前記スライドブロックのうち中心から離れている一端には前記翻転ブロックと当接する押圧ブロックが固定的に設置され、前記旋転ブロックの上端には蓋板が固定的に設置され、
前記押圧ブロックによって前記翻転ブロックを固定し、前記翻転ブロックが勝手に反転することを防止する。
【発明の効果】
【０００８】
本発明の有益効果は：本発明は構造が簡単で、操作が便利で、本装置は風力エネルギーを利用して充電を実現し、しかも安定性が高く、収納機能も強く、屋外での使用に適する。
【図面の簡単な説明】
【０００９】
【図１】図１は本発明の屋外用の夜ライトの内部全体構成概略図
【図２】図２は図１の中のＡ−Ａ方向の構成概略図
【図３】図３は図１の中のＢの拡大概略図
【発明を実施するための形態】
【００１０】
以下に図１−３を交えて本発明について詳しく説明し、便利に叙述するため、現在は後文に出る方位を下記の通りに規定する：後文に出る上下左右前後方向は図１本体の投影関係の上下左右前後方向と一致する。
【００１１】
図１−３を参照し、本発明の実施例における屋外用の夜ライトは、本体１１を含み、前記本体１１の中には伸縮装置１０１が設置され、前記伸縮装置１０１の外側には支持脚装置１０２が設置され、前記伸縮装置１０１の中には折畳装置１０３が設置され、前記伸縮装置１０１の中の回転盤１２を回せば前記伸縮装置１０１を昇降連動させると同時に前記支持脚装置１０２の伸展を連動させることができ、前記折畳装置１０３によって羽根１３を折り畳め、収納に便利であり、前記本体１１の下端面の中には下に開いた口した照明チャンバ１４が設置され、前記照明チャンバ１４の上壁には電球１５が固定的に設置され、前記照明チャンバ１４の中には前記電球１５の下側に位置する透明ガラスカバー１６が固定的に設置され、前記伸縮装置１０１は前記照明チャンバ１４の上側に設置された上に開い口した昇降チャンバ１７を含み、前記昇降チャンバ１７の下壁の中には前記電球１５に電気的に接続連結された運動エネルギー転換装置１８が固定的に設置され、前記昇降チャンバ１７の中には昇降ブロック１９がネジ山によって連結され、前記昇降ブロック１９の中には下に開口しいた伸縮チャンバ２０が設置され、前記運動エネルギー転換装置１８の上端には上端が前記伸縮チャンバ２０の中に挿入されるスプライン軸２１が伝動可能に連結され、前記運動エネルギー転換装置１８によって前記スプライン軸２１の回転の運動エネルギーを電気エネルギーに転換でき、前記スプライン軸２１の中には上に開口しいたスプライン穴２２が設置され、前記伸縮チャンバ２０の上壁の中には下端が前記スプライン穴２２にスプラインによって連結された回転軸２３が回転可能に設置され、前記回転軸２３の上端は前記折畳装置１０３に連結され、前記昇降チャンバ１７の外側には環状の回転チャンバ２４が設置され、前記回転チャンバ２４の中には環状柱２５が設置され、前記回転盤１２が前記環状柱２５の上端に固定的に設置され、前記昇降チャンバ１７と前記回転チャンバ２４との間には通しチャンバ２６が連通して設置され、前記昇降ブロック１９の前後左右の四つの方向には外方に開口するスライド溝２７が形成され、前記環状柱２５の前後左右の四つの方向には前記通しチャンバ２６を貫通して前記スライド溝２７とスライド可能に連結された連動ロッド２８が設置され、前記回転盤１２の中には開口２９が前記昇降チャンバ１７に対応するように上下に貫通して設置され、
前記回転盤１２を回して前記昇降ブロック１９を連動させて回転しながら上昇又は下降させる。
【００１２】
有益的には、前記支持脚装置１０２は、前記回転チャンバ２４の前後左右の四つの方向に環状になるように配列され且つ互いに連通する押しロッドチャンバ３０を含み、前記押しロッドチャンバ３０の中には一端が前記環状柱２５の外円周面にネジ山によって連結される押しロッド３１がスライド可能に設置され、前記押しロッドチャンバ３０の下側には外部に連通した支持脚チャンバ３２が設置され、前記押しロッド３１の下端には支持脚３３がヒンジで連結され、前記支持脚チャンバ３２のうち中心に近接している側の内壁には支持ロッド３４が回転可能に設置され、前記支持ロッド３４の上端は前記支持脚３３のうち中間で上よりのところにヒンジで連結され、
前記押しロッド３１が下降して前記支持脚３３の下端を連動させて前記支持脚チャンバ３２から翻転し出て前記本体１１の下端と同じす水平面にならせる。
【００１３】
有益的には、前記折畳装置１０３は前記回転軸２３の上端に固定的に設置される旋転ブロック３５を含み、前記旋転ブロック３５の左右両端には反対に開いた口した下向きの翻転チャンバ３６が対称的に設置され、前記翻転チャンバ３６の中には翻転ブロック３７が回転可能に設置され、前記羽根１３は前記翻転ブロック３７のうち中心から離れている一端に固定的に設置され、前記翻転チャンバ３６の間にはスライドチャンバ３８が連通して設置され、前記スライドチャンバ３８の中にはスライドブロック３９が左右に対称的にスライド可能に設置され、前記スライドブロック３９の間には押圧撥条４０が固定的に連結され、前記スライドブロック３９のうち中心から離れている一端には前記翻転ブロック３７と当接する押圧ブロック４１が固定的に設置され、前記旋転ブロック３５の上端には蓋板４２が固定的に設置され、
前記押圧ブロック４１によって前記翻転ブロック３７を固定し、前記翻転ブロック３７が勝手に反転することを防止する。
【００１４】
初期状態の時、支持脚３３が支持脚チャンバ３２の中に納められており、開口２９が昇降チャンバ１７の中に収縮しており、羽根１３が鉛直状態にあり、蓋板４２が開口２９を封じている。
【００１５】
照明する時、本体１１を手で握り、電球１５をつけて懐中電灯として照明を行い、
風力エネルギーによって充電する時、回転盤１２を回して環状柱２５を回転連動させ、連動ロッド２８によって昇降ブロック１９を押し動かして回転させ、昇降ブロック１９は昇降チャンバ１７の内壁とのネジ山での連結によって上昇して回転軸２３を上昇連動させ、この時環状柱２５は押しロッド３１とのネジ山での連結によって押しロッド３１を下降連動させて支持脚３３を下降連動させ、この時支持ロッド３４はヒンジでの連結によって支持脚３３の下端を外に翻転連動させ、この時羽根１３を水平状態に翻転し、押圧撥条４０の弾力と押圧ブロック４１とを通じて翻転ブロック３７を強く押圧し、この時照明チャンバ１４を下に向かって置き、支持脚３３の下端が水平面との当接によって支持し、羽根１３が風力エネルギーによって発電する上に吹き倒されることを防止できる。
【００１６】
本発明の有益効果は：本発明は構造が簡単で、操作が便利で、本装置は風力エネルギーを利用して充電を実現し、しかも安定性が高く、収納機能も強く、屋外での使用に適する。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。